(57)【要約】 【課題】ソファーとパネル体とを簡易且つ安定的に連結させたソファーユニットを提供する。【解決手段】ソファーユニット１は、床面上に設けられた脚体１０１及び該脚体１０１に支持された座部１０２を有するソファー１００と、該ソファー１００と前記パネル体１１とを連結する連結手段とを備え、前記連結手段は、前記ソファー１００又は前記パネル体１１に上下方向に離間して取り付けられるとともに、連結関係にある前記ソファー１００又は前記パネル体１１を係止する第一係止部材８１及び第二係止部材７１を有し、前記第一係止部材８１及び前記第二係止部材７１の少なくとも一方は、前記ソファー１００又は前記パネル体１１を上下方向に係止することを特徴とする。【選択図】図１２
2015142678.tif 000002
【特許請求の範囲】
【請求項１】
床面上に設けられた脚体及び該脚体に支持された座部を有するソファーと、
該ソファーに沿って配置されたパネル状のパネル体と、
前記ソファーと前記パネル体とを連結する連結手段とを備え、
前記連結手段は、前記ソファー又は前記パネル体に上下方向に離間して取り付けられるとともに、連結関係にある前記ソファー又は前記パネル体を係止する第一係止部材及び第二係止部材を有し、
前記第一係止部材及び前記第二係止部材の少なくとも一方は、係止対象となる前記ソファー又は前記パネル体を、上下方向に係止することを特徴とするソファーユニット。
【請求項２】
前記第一係止部材は前記ソファー又は前記パネル体を上下方向に係止するとともに、前記第二係止部材は前記ソファー又は前記パネル体を上下方向に係止することを特徴とする請求項１に記載のソファーユニット。
【請求項３】
前記パネル体は、パネル状の基材を有し、
前記第一係止部材は、前記ソファーに取り付けられ、前記基材の外周端部に沿って設けられ該基材の内方に向けて凹むように形成された溝を係止することを特徴とする請求項１または請求項２に記載のソファーユニット。
【請求項４】
前記第一係止部材は、前記基材の下端部に沿って設けられた溝を係止することを特徴とする請求項３に記載のソファーユニット。
【請求項５】
前記ソファーは、前記脚体に支持され着座者の背を受ける背凭れを有し、
前記パネル体は、パネル状の基材を有し、
前記第二係止部材は、前記基材の前記外周端部に沿って設けられ該基材の内方に向けて凹むように形成された溝に取り付けられるとともに、前記背凭れの端部を係止することを特徴とする請求項１から請求項４のいずれか一項に記載のソファーユニット。
【請求項６】
前記第二係止部材は、前記背凭れの上端部を係止することを特徴とする請求項５に記載のソファーユニット。
【請求項７】
前記パネル体は、前記基材に沿って設けられ、弾性変形可能なクッション材を有し、
前記第二係止部材は、前記パネル体の前記外周端部の前記クッション材を弾性変形させていることを特徴とする請求項５または請求項６に記載のソファーユニット。
【請求項８】
前記背凭れにおける前記パネル体の配置される側と反対側には、クッションが配置されていることを特徴とする請求項５から請求項７のいずれか一項に記載のソファーユニット。
【発明の詳細な説明】
【技術分野】
【０００１】
本発明は、ソファーユニットに関するものである。
【背景技術】
【０００２】
一般に、オフィスや公共施設等における空間では、利用者がくつろいだ状態で打合せ等ができにように、ソファーが配置されている。また、ソファーの周囲に間仕切りパネルを設置することにより、周囲の視線や音を遮断することができ、利用者固有の空間を確保することができる。
【０００３】
このような構成として、隣接配置された複数のソファーと、ソファーの側面及び背面に沿って配置された複数の仕切板とを備えたものが提案されている。
仕切板のソファーが配置される側の表面には内補強金具が配置され、仕切板の表面と反対側の面には外補強金具が配置されている。これら内補強金具、仕切板及び外補強金具は、内補強金具側から挿通される係止ピン付きネジにより螺合されて一体とされている。
一方、ソファーの下面には、固定板が取り付けられている。この固定板には、取付孔が形成されている。この固定板の下面には仕切板ブラケットが配置されている。仕切板ブラケットは、固定板の下面に沿って配置される取付片と、取付片に対して垂直に設けられ内補強金具に沿って配置される係止片とを有している。取付片には、固定板の取付孔と対応する位置に取付孔が形成されている。係止片には、内補強金具に取り付けられた係止ピン付きネジの頭部が挿通可能な大径部と、大径部から下方に延びる溝部とからなるダルマ孔が形成されている。
そして、仕切板ブラケットの取付孔及び固定板の取付孔に取付ネジを螺合することで、仕切板ブラケットはソファーの下面の固定板に取り付けられる。また、仕切板に取り付けられた内補強金具に螺合された係止ピン付きネジの頭部を、仕切板ブラケットのダルマ孔の大径部から挿通して、仕切板を下降に移動させることにより係止ピン付きネジが溝部に係止される。このようにして、仕切板は、仕切りブラケット及び固定板を介してソファーの下部に取り付けられている（下記特許文献１参照）。
【先行技術文献】
【特許文献】
【０００４】
【特許文献１】特開２０１３−９４４０５号公報
【発明の概要】
【発明が解決しようとする課題】
【０００５】
上記の特許文献１に記載のソファーユニットでは、仕切板が取り付けられる仕切板ブラケットは、ソファーの下面に設けられた固定板に取り付けられている。当該構成であるため、仕切板の自重及び仕切板に作用する荷重を、ソファーの下面に設けられた固定板で支持しなければならない。つまり、ソファーの下部でのみ仕切板と連結されているため、仕切板とソファーとを安定的に連結させることが望まれている。
【０００６】
本発明は、上記事情に鑑みてなされたものであり、ソファーとパネル体とを簡易且つ安定的に連結させたソファーユニットを提供するものである。
【課題を解決するための手段】
【０００７】
上記目的を達成するために、本発明は以下の手段を採用している。
すなわち、本発明に係るソファーユニットは、床面上に設けられた脚体及び該脚体に支持された座部を有するソファーと、該ソファーに沿って配置されたパネル状のパネル体と、前記ソファーと前記パネル体とを連結する連結手段とを備え、前記連結手段は、前記ソファー又は前記パネル体に上下方向に離間して取り付けられるとともに、連結関係にある前記ソファー又は前記パネル体を係止する第一係止部材及び第二係止部材を有し、前記第一係止部材及び前記第二係止部材の少なくとも一方は、係止対象となる前記ソファー又は前記パネル体を、上下方向に係止することを特徴とする。
【０００８】
このように構成されたソファーユニットでは、ソファー又はパネル体（便宜上、ここでは「ソファー」とする）に取り付けられた第一係止部材は、ソファーと連結関係にあるパネル体を係止する。ソファー又はパネル体（便宜上、ここでは「パネル体」とする）に取り付けられた第二係止部材は、パネル体と連結関係にあるソファーを係止する。ソファーに取り付けられた第一係止部材とパネル体に取り付けられた第二係止部材とは、互いに上下方向に離間しているとともに、第一係止部材及び第二係止部材の少なくとも一方は係止対象であるパネル体、ソファーを上下方向を係止している。つまり、ソファーとパネル体は、上下方向に離間した第一係止部材及び第二係止部材により連結されるとともに、第一係止部材及び第二係止部材の少なくとも一方は上下方向に係止するため、上下方向にわたって安定的に連結することができる。
また、第一係止部材及び第二係止部材をそれぞれパネル体、ソファーに係止させることでソファーとパネル体とは連結されるため、簡易に連結することができる。
【０００９】
また、本発明に係るソファーユニットは、前記第一係止部材は前記ソファー又は前記パネル体を上下方向に係止するとともに、前記第二係止部材は前記ソファー又は前記パネル体を上下方向に係止していることが好ましい。
【００１０】
このように構成されたソファーユニットでは、床面上に設置されたソファーに対してパネル体を上方から下方に移動させれば、ソファーに取り付けられた第一係止部材がパネル体を上下方向に係止するとともに、パネル体に取り付けられた第二係止部材がソファーを上下方向に係止する。よって、パネル体をソファーに対して相対的に下方に移動させることにより、ソファーとパネル体とを連結することができる。
【００１１】
また、本発明に係るソファーユニットは、前記パネル体は、パネル状の基材を有し、前記第一係止部材は、前記ソファーに取り付けられ、前記基材の外周端部に沿って設けられ該基材の内方に向けて凹むように形成された溝を係止していてもよい。
【００１２】
このように構成されたソファーユニットでは、パネル状の基材の外周端部から基材の内方に向けて凹んでいる溝を第一係止部材は係止するため、第一係止部材の係止する部分が目立つことがない。
【００１３】
また、本発明に係るソファーユニットは、前記第一係止部材は、前記基材の下端部に沿って設けられた溝を係止していてもよい。
【００１４】
このように構成されたソファーユニットでは、基材の下端部から基材の内方に向けて凹んでいる溝を第一係止部材は係止するため、第一係止部材の係止する部分がさらに目立たない。
【００１５】
また、本発明に係るソファーユニットは、前記ソファーは、前記脚体に支持され着座者の背を受ける背凭れを有し、前記第二取付部材は、前記基材の前記外周端部に沿って設けられ該基材の内方に向けて凹むように形成された溝に取り付けられるとともに、前記背凭れの端部を係止してもよい。
【００１６】
このように構成されたソファーユニットでは、基材の外周端部から基材の内方に向けて凹んでいる溝に第二係止部材は取り付けられているため、第二係止部材の取り付け部分が目立つことがない。
また、第二係止部材が係止するのはソファーの背凭れの端部であるため、ソファーとは別に第二係止部材が係止する部分を設ける必要がない。
【００１７】
また、本発明に係るソファーユニットは、前記第二係止部材は、前記背凭れの上端部を係止していてもよい。
【００１８】
このように構成されたソファーユニットでは、床面上に設置されたソファーに対してパネル体を上方から下方に移動させれば、パネル体に取り付けられた第二係止部材をソファーの背凭れの上端部に係止させることができる。よって、パネル体をソファーに対して相対的に下方に移動させることにより、ソファーとパネル体とを連結することができる。
【００１９】
また、本発明に係るソファーユニットは、前記パネル体は、前記基材に沿って設けられ、弾性変形可能なクッション材を有し、前記第二係止部材は、前記パネル体の前記外周端部の前記クッション材を弾性変形させていてもよい。
【００２０】
このように構成されたソファーユニットでは、第二係止部材はパネル体の外周端部のクッション材を弾性変形させつつ、パネル体に取り付けられる。よって、第二係止部材がパネル体から大きく突出することを抑制することができる。
【００２１】
また、本発明に係るソファーユニットは、前記背凭れにおける前記パネル体の配置される側と反対側には、クッションが配置されていてもよい。
【００２２】
このように構成されたソファーユニットでは、背凭れを係止する第二係止部材は、クッションとパネル体とに挟まれているため、第二係止部材の露出を抑えることができる。
【発明の効果】
【００２３】
本発明に係るソファーユニットによれば、ソファーとパネル体とを簡易且つ安定的に連結させことができる。
【図面の簡単な説明】
【００２４】
【図１】一実施形態におけるソファーユニットの一例を示す斜視図である。
【図２】パネル体の構成を示す斜視展開図である。
【図３】パネル体の板厚方向中間部における半断面図である。
【図４】パネル体の端部を示す上面図である。
【図５】パネル体の直線部の構造を示す断面図である。
【図６】パネル体のコーナー部の構造を示す断面図である。
【図７】基材の表面に沿って設けられたクッション材を示す断面図であり、（ａ）は表皮材を非装着の状態におけるクッション材の断面図、（ｂ）は表皮材を装着した状態におけるクッション材の断面図である。
【図８】パネル体の下部の角部に設けられた支持脚体、およびパネル体どうしの下部における連結構造の一例を示す斜視図である。
【図９】パネル体どうしの下部における連結構造を示す断面図である。
【図１０】パネル体どうしの上部における連結構造の一例を示す斜視図である。
【図１１】パネル体どうしの連結部分の構造を示す断面図である。
【図１２】ソファーとパネル体との連結部分の構造を示す側面図である。
【図１３】図１２の要部の拡大図である。
【図１４】ソファーとパネル体との連結部分の構造を示す断面図である。
【図１５】ソファーとパネル体とを連結する第二係止部材の斜視図である。
【図１６】ソファーとパネル体との連結部分の構造を示す断面図である。
【図１７】図１２の要部の拡大図である。
【図１８】ソファーとパネル体とを連結する第一係止部材の斜視図である。
【図１９】変形例１における要部の拡大図である。
【図２０】変形例１におけるソファーとパネル体とを連結する第一係止部材の斜視図である。
【図２１】変形例２におけるソファーとパネル体との連結部分の構造を示す断面図である。
【発明を実施するための形態】
【００２５】
以下、本発明の実施形態について説明する。
図１は、本実施形態におけるソファーユニットの一例を示す斜視図である。図２は、パネル状の基材の構成を示す斜視展開図である。図３は、基材の板厚方向中間部における半断面図である。図４は、基材の端部を示す上面図である。図５は、基材の直線部の構造を示す断面図である。図６は、基材のコーナー部の構造を示す断面図である。
図１に示すように、ソファーユニット１は、着座可能なソファーセット１０と、ソファーセット１０の背面側に配置された複数のパネル体１１とを備えている。
【００２６】
（ソファー）
本実施形態では、ソファーセット１０は、３個のソファー１００が隣接配置されて構成されている。
各ソファー１００は、床面上に設置され上方に向かって延びる４本の脚部（脚体）１０１と、これら脚部１０１に支持された座部１０２と、脚部１０１に支持され着座者の背を受ける背凭れ部（背凭れ）１０３とを有している。
【００２７】
脚部１０１は、ソファー１００の奥行方向および幅方向に間隔を有して４本設けられている。これら脚部１０１の上端は、座部１０２の下面に設けられた支持プレート１０５に取り付けられている。この座部１０２の上面は、利用者が着座可能な座面とされている。
【００２８】
隣接配置された３個のソファー１００のうち真ん中配置されたソファー１００の座部１０２は、平面視略矩形状をなしている。また、３個のソファー１００のうち両端に配置されたソファー１００の座部１０２は、背面側の端部の湾曲形成された平面視略矩形状をなしている。
【００２９】
背凭れ部１０３は、板状に形成され、下端が座部１０２に連結されるとともに座部１０２から上方に向かって延びている。３個のソファー１００のうち真ん中に配置されたソファー１００の背凭れ部１０３は、正面視略矩形状に形成され、座部１０２の背面から上方に向かって延びている。また、３個のソファー１００のうち両端に配置されたソファー１００の背凭れ部１０３は、座部１０２に背面及び側面から上方に向かって延びている。つまり、座部１０２の背面側の端部が湾曲形成されているため、背凭れ部１０３も対応して湾曲形成されている。
また、背凭れ部１０３に沿って、クッション１０４が配置されている。
【００３０】
（パネル体）
本実施形態では、ソファーセット１０の背面から側面に沿って、３枚のパネル体１１が隣接配置されている。３枚のパネル体１１のうち真ん中に配置されたパネル体１１は、平面板状に形成されている。また、３枚のパネル体１１のうち両端に配置されたパネル体１１は、平面視または側面視したときに、中間部で折曲または湾曲した湾曲形状とされている。以下においては、パネル体１１が平面板状であるものとして説明を行う。
図２に示すように、パネル体１１は、パネル基材（基材）１２と、パネル基材１２の両面に沿って設けられたクッション材１３と、パネル基材１２およびクッション材１３を覆う表皮材１４と、固定部材３０と、を備えている。
【００３１】
（パネル基材）
パネル基材１２は、パネル状の芯材１５と、芯材１５の外周部に沿って設けられたフレーム２０と、芯材１５およびフレーム２０の両面を覆うように設けられたベースシート１８と、を備えている。
【００３２】
芯材１５は、例えば紙系材料、樹脂系材料、木質系材料等から形成されている。この芯材１５は、なるべく軽量とするのが好ましい。そこで、本実施形態では、芯材１５は、紙系材料から形成され、板厚方向に貫通する孔１５ｈが多数並設された、例えば断面六角形状の複数の孔１５ｈが千鳥状に組み合わされたハニカム構造とされている。
【００３３】
（フレーム）
図２、図３に示すように、この芯材１５の外周部には、フレーム２０が設けられている。フレーム２０は、芯材１５の四辺に沿って設けられた枠材２１Ａ，２１Ｂ，２１Ｃ，２１Ｄを備えている。各枠材２１Ａ，２１Ｂ，２１Ｄ，２１Ｄは、金属系材料、樹脂系材料等から形成されている。
枠材２１Ａ，２１Ｂは、芯材１５において互いに対向する２辺に沿って上下方向に延在し、パネル体１１の幅方向両側に設けられている。枠材２１Ｃ，２１Ｄは、枠材２１Ａ，２１Ｂに直交して横方向に延在し、パネル体１１の上下方向両側に設けられている。これら枠材２１Ａ，２１Ｂと枠材２１Ｃ，２１Ｄとは、Ｌ字状のブラケット２２を介し、ボルト２３、あるいは溶接、接着等によって接合されている。これら枠材２１Ａ，２１Ｂ，２１Ｃ，２１Ｄによって、全体として矩形状をなしたフレーム２０が形成されている。
【００３４】
図４〜図６に示すように、各枠材２１Ａ，２１Ｂ，２１Ｃ，２１Ｄは、フレーム２０の内周側の芯材１５の外周端面１５ａに対向する基部２１ｅと、基部２１ｅの幅方向両側からそれぞれフレーム２０の外周側に向けて立ち上がる側壁部２１ｆと、からなる、断面略Ｕ字状に形成されている。これにより、基部２１ｅと、両側の側壁部２１ｆ，２１ｆとに囲まれた部分は、溝２５とされている。
このようにして、パネル基材１２は、その外周端部に沿って連続し、パネル基材１２の内方に向けて凹んだ溝２５を有している。
【００３５】
ここで、図３に示すように、Ｌ字状のブラケット２２は、枠材２１Ａまたは２１Ｂに沿って枠材２１Ａまたは２１Ｂの端部に設けられる第一プレート部２２ａと、第一プレート部２２ａに直交し、枠材２１Ｃまたは２１Ｄに沿って枠材２１Ｃまたは２１Ｄの端部に設けられる第二プレート部２２ｂと、第一プレート部２２ａおよび第二プレート部２２ｂに沿ってＬ字状のブラケット２２の屈曲方向内側に設けられたリブ部２２ｃとが一体に形成されている。
【００３６】
リブ部２２ｃは、第一プレート部２２ａおよび第二プレート部２２ｂから、第一プレート部２２ａおよび第二プレート部２２ｂに直交して、パネル体１１の内周側に向けて突出形成されている。このリブ部２２ｃは、第一プレート部２２ａおよび第二プレート部２２ｂの幅方向両側、つまり、パネル体１１の一面側と他面側とにそれぞれ形成されている。このリブ部２２ｃは、第一プレート部２２ａおよび第二プレート部２２ｂの曲げ強度を高める補強部材として機能するだけでなく、芯材１５の角部の押さえ部材としても機能することができる。すなわち、パネル基材１２の一面側と他面側にそれぞれ設けられたリブ部２２ｃの間に芯材１５が挟み込まれる。パネル基材１２においては、四隅にこのようなブラケット２２が設けられることにより、芯材１５をフレーム２０の内側に保持できるようになっている。
【００３７】
なおここで、図２では、平面板状のパネル体１１の例を示したが、パネル体１１を平面視または側面視した状態で略Ｌ字状、略Ｃ字状等とする場合には、フレーム２０の上下の枠材２１Ｃ，２１Ｄまたは左右の枠材２１Ａ，２１Ｂを，パネル体１１の形状に合わせて折曲または湾曲させる。ソファーユニット１０の両端に配置されたパネル体１１の端側は、ソファーユニット１０の幅方向外側に向かうにしたがって次第に前方に向かうように湾曲している。
【００３８】
図５、図６に示すように、フレーム２０および芯材１５を覆うように、芯材１５の両面には、シート状のベースシート１８が設けられている。ベースシート１８は、例えばボール紙等から形成されている。このベースシート１８は、芯材１５よりも外形寸法が大きく、その外周部１８ａがフレーム２０の表面２０ｆに接着剤等により接着されている。
【００３９】
（クッション材）
クッション材１３は、パネル基材１２の表面を形成するベースシート１８に沿って設けられている。クッション材１３は、ベースシート１８を介して、芯材１５の全体を覆うように設けられている。さらに、クッション材１３は、その外周端部１３ｓが、フレーム２０を構成する各枠材２１Ａ，２１Ｂ，２１Ｃ，２１Ｄの側壁部２１ｆを覆うように設けられている。つまり、クッション材１３は、芯材１５およびフレーム２０を覆うように設けられている。
このクッション材１３は、柔軟性および弾性を有した材料、例えば発泡ウレタン材等から形成されている。
【００４０】
図７は、パネル基材１２の表面に沿って設けられたクッション材１３を示す断面図であり、（ａ）は表皮材１４を非装着の状態におけるクッション材１３の断面図、（ｂ）は表皮材１４を装着した状態におけるクッション材１３の断面図である。
図２に示すように、クッション材１３には、複数の貫通孔１６が形成されている。貫通孔１６は、例えば、上下方向を長軸方向とした長円形状とされている。そして、クッション材１３の外表面１３ｆには、複数の貫通孔１６が、上下方向および上下方向に直交する横方向に、間隔を空けて配列されている。
【００４１】
図５、図７に示すように、各貫通孔１６は、クッション材１３においてパネル基材１２とは反対側を向く外表面１３ｆからパネル基材１２側に対向する対向面１３ｇまで、クッション材１３の厚さ方向に貫通して形成されている。図７（ａ）に示すように、各貫通孔１６は、その内周面１６ｆが外表面１３ｆと直交して形成されている。これにより、貫通孔１６の周縁に角部１６ｖが形成されている。
このような貫通孔１６が形成されたクッション材１３をパネル基材１２の表面に設けることで、パネル基材１２の表面に角部１６ｖを有する凹凸形状が形成される。
【００４２】
（表皮材）
図５、図７に示すように、表皮材１４は、クッション材１３の全体を覆うよう設けられている。表皮材１４は、クッション材１３の外表面１３ｆと、貫通孔１６において外表面１３ｆに直交する内周面１６ｆと、貫通孔１６の底部に露出するベースシート１８の露出面１８ｆとに沿うよう、接着されている。このようにして、表皮材１４が、クッション材１３に形成された複数の貫通孔１６に沿うことで、パネル体１１の表面には、複数の長円形状の凹部１７が形成されている。そして、各凹部１７において、表皮材１４は、貫通孔１６を通して、パネル基材１２の表面を形成するベースシート１８に接着されている。
ここで、表皮材１４は、例えばポリエステル等、弾性変形可能な材質で形成され、伸長した状態でクッション材１３及びパネル基材１２を覆っている。クッション材１３は、外表面１３ｆ側の貫通孔１６の周縁において外方に向けて凸となる角部１６ｖが、表皮材１４によって内方に向けて押圧される。これにより、クッション材１３は、角部１６ｖにおいて圧縮方向に弾性変形し、貫通孔１６の角部１６ｖは、円弧状断面とされている。
これにより、表皮材１４が角部１６ｖに突き当たった部分で角部１６ｖの反発力によって押圧される。したがって、凹部１７の形状が維持されるとともに、表皮材１４がクッション材１３の外表面１３ｆに沿った方向で図７（ｂ）中に矢印Ｔで示す方向に伸長され、表皮材１４が弛むのを抑えることができる。
【００４３】
また、図５、図６に示すように、クッション材１３および表皮材１４は、パネル基材１２よりも大きな外形寸法を有している。そして、クッション材１３および表皮材１４は、その外周端部１３ｅ，１４ｅが、パネル基材１２の外周縁部、つまり各枠材２１Ａ，２１Ｂ，２１Ｃ，２１Ｄの側壁部２１ｆを回り込んで、溝２５内側に巻き込まれている。このクッション材１３および表皮材１４の外周端部１３ｅ，１４ｅが、各枠材２１Ａ，２１Ｂ，２１Ｃ，２１Ｄの側壁部２１ｆを回り込む部分で、クッション材１３が表皮材１４によって圧縮される。これにより、パネル体１１は、外周端部１１ｓに向かうにしたがって、その厚みが漸次小さくするように形成されている。また、パネル体１１は、外周端部１１ｓにおいてクッション材１３および表皮材１４が各枠材２１Ａ，２１Ｂ，２１Ｃ，２１Ｄの側壁部２１ｆを回り込む部分で、丸く円弧状に形成されている。
このように、クッション材１３および表皮材１４の縁部のうち芯材１５の外周面側に配置される部分は、芯材１５の外周端面（縁部）１５ａよりも外方に向かって突出する突出部１３ｔ，１４ｔとされている。
【００４４】
（固定部材）
固定部材３０は、溝２５に嵌め込まれている。固定部材３０は、溝２５内側に巻き込まれたクッション材１３および表皮材１４の外周端部１３ｅ，１４ｅを、溝２５の内周面と固定部材３０の外周面との間に挟み込んでいる。これにより、クッション材１３および表皮材１４の外周端部１３ｅ，１４ｅをフレーム２０の側壁部２１ｆに固定している。
【００４５】
ここで、図２に示すように、固定部材３０は、矩形状のパネル基材１２の外周部の直線部分１２Ｓに配置される直線部固定部材３０Ｓと、矩形状のパネル基材１２の外周部のコーナー部１２Ｃに配置されるコーナー部固定部材３０Ｃと、を備えている。
【００４６】
図５に示すように、直線部固定部材３０Ｓは、直線部固定部材３０Ｓが連続する方向に直交する断面形状が、互いに平行に位置する側部プレート部３１，３１と、側部プレート部３１，３１どうしを一体に連結する連結プレート部３２と、を備えている。
【００４７】
側部プレート部３１，３１は、フレーム２０の溝２５を形成する側壁部２１ｆとの間に、クッション材１３および表皮材１４の外周端部１３ｅ，１４ｅを挟み込む。このため、側部プレート部３１，３１の間隔は、溝２５の側壁部２１ｆ，２１ｆの間隔よりも所定寸法小さく形成されている。これら側部プレート部３１，３１は、直線部固定部材３０Ｓを溝２５内に嵌め込んだときに、先端部３１ａ，３１ａが溝２５の基部２１ｅに突き当たるよう形成されている。
【００４８】
連結プレート部３２は、側部プレート部３１，３１の先端部３１ａ，３１ａよりも、溝２５の基部２１ｅから離間する方向にオフセットして形成されている。これにより、直線部固定部材３０Ｓは、側部プレート部３１，３１と連結プレート部３２とにより、断面略Ｈ字状をなしている。そして、直線部固定部材３０Ｓは、溝２５内に嵌め込んだ状態で、側部プレート部３１，３１の先端部３１ａ，３１ａ側と、連結プレート部３２と、溝２５の基部２１ｅとに囲まれた部分に、空間Ｓ１が形成されるようになっている。この空間Ｓ１は、溝２５内に巻き込まれたクッション材１３および表皮材１４の外周端部１３ｅ，１４ｅの余剰部、すなわち外周端部１３ｅ，１４ｅのうちフレーム２０の基部２１ｅに突き当たった部分よりも先端部分（不図示）を収容できる収容空間として機能する。
【００４９】
また、側部プレート部３１，３１において、溝２５の側壁部２１ｆ，２１ｆに対向する側には、突起３３，３３が形成されている。この突起３３，３３は、側部プレート部３１，３１と側壁部２１ｆ，２１ｆとの間に挟み込まれたクッション材１３および表皮材１４の外周端部１３ｅ，１４ｅに食い込むようになっている。これにより、直線部固定部材３０Ｓは、クッション材１３および表皮材１４が溝２５から抜け出ることを防止している。
【００５０】
さらに、側部プレート部３１，３１において、連結プレート部３２よりも溝２５の基部２１ｅから離間する側には、側部プレート部３１，３１から内方に向けて突出する突条３４，３４が形成されている。そして、これら突条３４，３４と、側部プレート部３１，３１と、連結プレート部３２とに囲まれて、オプション部材等を装着するための保持溝３５が形成されている。
【００５１】
図３に示すように、パネル体１１の上部のコーナー部に配置されるコーナー部固定部材３０Ｃは、上下方向に延びる第一直線状部３８Ａと、第一直線状部３８Ａの上端から屈曲して横方向に延びる第二直線状部３８Ｂとから、略Ｌ字状に形成されている。
第一直線状部３８Ａは、上下方向に延びる枠材２１Ａまたは枠材２１Ｂの上端部において溝２５内に嵌め込まれる。第二直線状部３８Ｂは、第一直線状部３８Ａの一端から連続して形成され、横方向に延びる枠材２１Ｃまたは枠材２１Ｄの両端部において溝２５内に嵌め込まれる。
【００５２】
図６に示すように、第一直線状部３８Ａ、第二直線状部３８Ｂは、それぞれが連続する方向に直交する断面形状が、互いに平行に位置する側部プレート部３６，３６と、側部プレート部３６，３６どうしを一体に連結する連結プレート部３７と、を備えている。
【００５３】
側部プレート部３６，３６は、フレーム２０の溝２５を形成する側壁部２１ｆ，２１ｆとの間に、クッション材１３および表皮材１４の外周端部１３ｅ，１４ｅを挟み込む。このため、側部プレート部３６，３６の間隔は、溝２５の側壁部２１ｆ，２１ｆの間隔よりも所定寸法小さく形成されている。これら側部プレート部３６，３６は、コーナー部固定部材３０Ｃを溝２５内に嵌め込んだときに、先端部３６ａ，３６ａが溝２５の基部２１ｅに突き当たるよう形成されている。
ここで、側部プレート部３６，３６において、溝２５の側壁部２１ｆ，２１ｆに対向する側に、凸部３６ｔ，３６ｔが形成されている。この凸部３６ｔ，３６ｔは、側部プレート部３１，３１と側壁部２１ｆ，２１ｆとの間にクッション材１３および表皮材１４の外周端部１３ｅ，１４ｅを挟み込むようになっている。
【００５４】
連結プレート部３７は、側部プレート部３６，３６の先端部３６ａ，３６ａよりも、溝２５の基部２１ｅから離間する方向にオフセットして形成されている。これにより、コーナー部固定部材３０Ｃは、側部プレート部３６，３６と連結プレート部３７により、断面略Ｈ字状をなしている。そして、直線部固定部材３０Ｓは、溝２５内に嵌め込んだ状態で、側部プレート部３６，３６の先端部３６ａ，３６ａ側と、連結プレート部３７と、溝２５の基部２１ｅとに囲まれた部分に、空間Ｓ２が形成されるようになっている。この空間Ｓ２は、溝２５内に巻き込まれたクッション材１３および表皮材１４の外周端部１３ｅ，１４ｅの余剰部、すなわち外周端部１３ｅ，１４ｅのうちフレーム２０の基部２１ｅに突き当たって部分よりも先端部分（不図示）を収容できる収容空間として機能する。なおここで、連結プレート部３７は、直線部固定部材３０Ｓにおける連結プレート部３２よりも基部２１ｅに近く、空間Ｓ２は、空間Ｓ１よりも小さく形成されている。
【００５５】
図３に示すように、このようなコーナー部固定部材３０Ｃは、溝２５に対し、コーナーキャップ４０によって固定されている。コーナーキャップ４０は、第一直線状部４１Ａと、第一直線状部４１Ａの一端に連続し、第一直線状部４１Ａに直交して延びる第二直線状部４１Ｂとからなる略Ｌ字状をなしている。図６に示すように、これら第一直線状部４１Ａ,第二直線状部４１Ｂは、コーナー部固定部材３０Ｃの第一直線状部３８Ａ，第二直線状部３８Ｂに対し、側部プレート部３６，３６との間に挿入され、連結プレート部３７に突き当てられている。
そして、図３に示すように、第一直線状部４１Ａの下端部には、突起片４３が下方に向けて突出形成されている。この突起片４３が、直線部固定部材３０Ｓの上端部において、連結プレート部３２と突状３４との間の保持溝３５（図５参照）に挿入されている。
また、図３に示すように、第二直線状部４１Ｂには、ボルト４５を挿入するボルト挿通孔４４が形成されている。このボルト挿通孔４４に挿通させたボルト４５により、コーナーキャップ４０と、コーナー部固定部材３０Ｃ、枠材２１Ｃ、ブラケット２２の第二プレート部２２ｂが一体に締結されている。
【００５６】
（支持脚体）
図３に示すように、上記したようなパネル体１１の下部のコーナー部には、コーナー部固定部材３０Ｃとして、支持脚体５０が設けられている。この支持脚体５０は、床面に接地することで、パネル体１１を床面上に立設させる。
支持脚体５０は、フレーム２０の下部端部の溝２５内に収容される下部支持部５１と、下部支持部５１の一端から上方に延び、フレーム２０の側部の下端部の溝２５内に収容される側部支持部５２と、下部支持部５１よりも下方に延びる支持脚部５３と、を一体に備えている。
【００５７】
下部支持部５１はフレーム２０の下端部の溝２５の底面を形成する基部２１ｅに突き当てて固定されている。また、側部支持部５２は、フレーム２０の側端部の溝２５の底面を形成する基部２１ｅに突き当てて固定されている。
下部支持部５１および側部支持部５２には、ボルト４８が挿通されるボルト挿通孔５４が形成されている。このボルト挿通孔５４に挿通されるボルト４８は、溝２５の基部２１ｅの所定の位置に形成された雌ネジ孔部２９にねじ込まれるようになっている。これにより、支持脚体５０が、パネル体１１に固定される。
【００５８】
支持脚部５３は、下部支持部５１よりも下方に延び、その下端部に、高さ調整ネジ４９がねじ込み可能とされている。
【００５９】
（パネル体の連結構造）
図８は、パネル体１１の下部の角部に設けられた支持脚体５０、およびパネル体１１，１１どうしの下部における連結構造の一例を示す斜視図である。図９は、パネル体１１，１１どうしの下部における連結構造を示す断面図である。
図８、図９に示すように、支持脚体５０には、隣接して配置される他のパネル体１１と連結するための下側連結部５５の一端が係止可能とされている。このため、支持脚体５０には、下部支持部５１よりも下方に膨出した膨出部５６が一体に形成されている。
【００６０】
そして、この膨出部５６には、パネル体１１の厚さ方向に沿った支持脚体５０の中間部に、プレート状の下側連結部５５の一端が挿入可能なスリット５７が形成されている。スリット５７は、膨出部５６において他方のパネル体１１に隣接する側の側面５６ａおよび下面５６ｂに開口している。
図９に示すように、スリット５７の上部には、後述する下側連結部５５の突起部５８Ａが挿入される挿入凹部５７ａが、上方に向けて凹んで形成されている。そして、スリット５７の上部において、膨出部５６の側面５６ａ側には、挿入凹部５７ａに隣接して、下方に向けて突出する突起部５７ｂが形成されている。
【００６１】
また、膨出部５６には、スリット５７内に挿入された下側連結部５５を係止するための、係止孔５６ｈが、パネル体１１の厚さ方向に沿って貫通形成されている。
【００６２】
下側連結部５５は、両端部にそれぞれ貫通孔５５ｈが形成されている。また、下側連結部５５の両端部には、それぞれ、上方に向けて突出する突起部５８Ａが形成されている。また、下側連結部５５には、両端部の突起部５８Ａ，５８Ａの間に、上方に向けて突出する中央突起部５８Ｂが形成されている。そして、中央突起部５８Ｂと、その両側の突起部５８Ａとの間には、下方に向けて凹となる係合凹部５８Ｃが形成されている。
【００６３】
突起部５７ｂおよび係合凹部５８Ｃは、膨出部５６の側面５６ａ側、中央突起部５８Ｂ側が、上下方向に延在する鉛直面５７ｆ、５８ｆとされ、その反対側が、上方に行くにしたがい鉛直面５７ｆ、５８ｆから離間する傾斜面５７ｇ、５８ｇとされている。これにより、突起部５７ｂおよび係合凹部５８Ｃは、いずれも下方に行くにしたがいその幅寸法が漸次小さくなるテーパ状をなしている。
この係合凹部５８Ｃに、スリット５７の突起部５７ｂが嵌め込まれることで、下側連結部５５と支持脚体５０とを、パネル体１１，１１が隣り合う方向において、容易に位置決めできるようになっている。
【００６４】
互いに隣接するパネル体１１，１１どうしを連結するには、貫通孔５５ｈが形成された下側連結部５５の両端部を、支持脚体５０のスリット５７に挿入する。下側連結部５５の両端部の係合凹部５８Ｃに、それぞれ、両側のパネル体１１に設けられた支持脚体５０の突起部５７ｂを嵌め込む。ここで、突起部５７ｂおよび係合凹部５８Ｃは、いずれも下方に行くにしたがいその幅寸法が漸次小さくなるテーパ状をなしている。したがって、係合凹部５８Ｃに突起部５７ｂが挿入されることで、下側連結部５５と支持脚体５０とが、パネル体１１，１１が隣り合う方向において互いに位置決めされる。これにより、下側連結部５５に形成された両端部の貫通孔５５ｈと、支持脚体５０の係止孔５６ｈとが連通する。そこで、これら貫通孔５５ｈ及び係止孔５６ｈに連結ボルト５９を挿通・締結させる。このように、下側連結部５５が互いに隣接する１１，１１の支持脚体５０，５０どうしを連結することによって、パネル体１１，１１どうしが下端部で連結される。
これら支持脚体５０，５０と、下側連結部５５とが、隣接するパネル体１１の下端部どうしを連結する下側連結部を構成している。
【００６５】
図１０は、パネル体１１，１１どうしの上部における連結構造の一例を示す斜視図である。
この図１０に示すように、互いに隣接するパネル体１１，１１どうしは、それぞれの上端部どうしを、上側連結部６１によって連結することができる。
この上側連結部６１は、コーナーキャップ４０に代えて、コーナー部固定部材３０Ｃに取り付けられる。上側連結部６１の両端部６１ａ，６１ａには、ボルト挿通孔６２が形成されている。
また、上側連結部６１の中間部６１ｂの下面側には、互いに隣接するパネル体１１，１１の上部に配置されたコーナー部固定部材３０Ｃ．３０Ｃの間隔を規制する間隔規制部６３が下方に向けて突出形成されている。間隔規制部６３が、互いに隣接するパネル体１１，１１の上部に配置されたコーナー部固定部材３０Ｃ．３０Ｃの間に挿入されることで、パネル体１１，１１どうしの間隔を規制することができる。
このような上側連結部６１によって、互いに隣接するパネル体１１，１１の上端部どうしを連結するには、以下のようにする。
まず、上側連結部６１を、互いに隣接するパネル体１１，１１の上部に配置されたコーナー部固定部材３０Ｃ．３０Ｃ上に載せる。このとき、上側連結部６１の両端部６１ａ，６１ａの下面が、コーナー部固定部材３０Ｃの第二直線状部３８Ｂに対し、側部プレート部３６，３６との間に挿入され、連結プレート部３７に突き当てられている。そして、間隔規制部６３が、互いに隣接するパネル体１１，１１の上部に配置されたコーナー部固定部材３０Ｃ．３０Ｃの間に挿入されることで、パネル体１１，１１どうしの間隔を規制することができる。より具体的には、間隔規制部６３の両側面６３ａ，６３ａに、コーナー部固定部材３０Ｃの第一直線状部３８Ａの連結プレート部３７に突き当てることで、パネル体１１，１１どうしの間隔を適正に位置決めできる。この状態で、ボルト挿通孔６２に挿通させたボルト６４により、上側連結部６１と、コーナー部固定部材３０Ｃ、枠材２１Ｃ（図３参照）、ブラケット２２の第二プレート部２２ｂ（図３参照）を一体に締結する。これによって、互いに隣接するパネル体１１，１１の上端部どうしが連結される。
このように、下側連結部５５と上側連結部６１により、パネル体１１どうしを固定する連結部材が構成されている。
また、一のパネル体１１と下側連結部５５及び上側連結部６１とにより、他のパネル体１１に連結可能なパネルユニットが構成されている。
【００６６】
図１１は、パネル体１１，１１どうしの連結部分の構造を示す断面図である。
図１１に示すように、一のパネル体１１の外周端部１１ｓと、他のパネル体１１の芯材１５の外周端面１５ａとは、距離を保持した状態で、パネル体１１，１１どうしは固定されている。一方で、パネル体１１の芯材１５の外周端面１５ａよりも外方に突出するクッション材１３，１３の突出部１３ｔ，１３ｔどうしは、表皮材１４，１４の突出部１４ｔ，１４ｔを介在させて当接している。クッション材１３，１３の突出部１３ｔ，１３ｔどうしは互いに対向方向に押圧し合い、突出部１３ｔ，１３ｔの先端部分は丸くなるように弾性変形している。これにより、当接している突出部１３ｔ，１３ｔの当接面積は大きくなる。
【００６７】
（ソファーとパネル体との連結構造）
次に、ソファー１００とパネル体１１との連結構造について説明する。
図１２は、ソファー１００とパネル体１１との連結部分の構造を示す側面図である。図１３は、図１２の要部の拡大図である。図１４は、ソファー１００とパネル体１１との連結部分の構造を示す断面図である。図１５は、ソファー１００とパネル体１１とを連結する第二係止部材７１の斜視図である。図１６は、ソファー１００とパネル体１１との連結部分の構造を示す断面図である。
【００６８】
図１２から図１６に示すように、ソファー１００の上部とパネル体１１の上部とは什器上連結部材（第二係止部材、連結手段）７１を介して連結されている。
【００６９】
什器上連結部材７１は、第一プレート部７１Ａと、第一プレート部７１Ａに連結された第二プレート部７１Ｂとを有している。第一プレート部７１Ａは、パネル体１１の幅方向端部の溝２５に設けられている。第一プレート部７１Ａは、直線部固定部材３０Ｓに取り付けられ、ソファー１００側に延びている。第二プレート部７１Ｂは、ソファー１００の背凭れ部１０３の上端部を係止する。
【００７０】
第一プレート部７１Ａは、直線部固定部材３０Ｓの突起３３に沿って配置される突起係合部７２と、突起係合部７２の端部から屈曲し一の突起３３Ａ（３３）における他の突起３３Ｂ（３３）に対向する側に沿って配置される側壁部７３とを有している。
【００７１】
突起係合部７２は、他の突起３３Ｂにおける溝２５の基部２１ｅを向く面に沿って配置されている。また、突起係合部７２の端部は、他の突起３３Ｂが設けられた側の側部プレート部３１Ｂに突き当たっている。
【００７２】
側壁部７３において、一の突起３３Ａが設けられた側の側部プレート部３１Ａを向く面には、緩衝部７３Ａが設けられている。緩衝部７３Ａは、側部プレート部３１Ａに向かって凸となる形状とされるとともに、側部プレート部３１Ａに当接している。緩衝部７３Ａとして、ゴム等の樹脂を採用することができる。ここで、什器上連結部材７１に対してソファー１００側への力が作用した場合には、側壁部７３には緩衝部７３Ａがあるため、側壁部７３の側部プレート部３１Ａへの接触、衝突を抑制することができる。これにより、側壁部７３及び側部プレート部３１Ａの破損が抑制される。
【００７３】
さらに、第一プレート部７１Ａは、側壁部７３の端部からソファー１００が配置される側に向かって屈曲して延びる湾曲壁部７４と、湾曲壁部７４の端部に連続して延びる延出壁部７５とを有している。これら突起係合部７２、側壁部７３、湾曲壁部７４及び延出壁部７５は、一体に形成されている。
【００７４】
湾曲壁部７４は、パネル体１１の外周端部１３ｓに沿って配置されている。また、延出壁部７５は、ソファー１００が配置される側のパネル体１１の表皮材１４に沿って配置されている。
【００７５】
この第一プレート部７１Ａにおいて、突起係合部７２が突起３３Ｂに当接しているため、什器上連結部材７１は溝２５から抜ける方向の移動が規制される。また、突起係合部７２の端部が側部プレート部３１Ｂに突き当たっているため、什器上連結部材７１はソファー１００側と反対側への移動が規制されている。また、側壁部７３に設けられた緩衝部７３Ａは側部プレート部３１Ａに当接しているため、什器上連結部材７１はソファー１００側への移動が規制されている。このようにして、第一プレート部７１Ａは、溝２５に配置された直線部固定部材３０Ｓに取り付けられている。
【００７６】
第二プレート部７１Ｂは、第一プレート部７１Ａの延出壁部７５よりも背面側に配置される取付壁部７６と、取付壁部７６の上端からソファー１００側に向かって延びる上壁部７７とを有している。
【００７７】
さらに、第二プレート部７１Ｂは、上壁部７７の端部からソファー１００側に向かうにしたがって下方に向かうように湾曲した湾曲壁部７８と、湾曲壁部７８の下端から下方に向かって延びる垂下壁部７９とを有している。これら取付壁部７６、上壁部７７、湾曲壁部７８及び垂下壁部７９は、一体に形成されている。
【００７８】
本実施形態では、第一プレート部７１Ａと第二プレート部７１Ｂとは、互いに延出壁部７５と取付壁部７６とが溶接により連結されている。
【００７９】
什器上連結部材７１において、取付壁部７６はパネル体の前面に沿って配置され、取付壁部７６と連結された延出壁部７５はソファー１００の背凭れ部１０３の背面に沿って配置されている。上壁部７７及び湾曲壁部７８は、背凭れ部１０３の上端部に沿って配置されている。垂下壁部７９は、背凭れ部１０３の前面に沿って配置されている。このようにして、第一プレート部７１Ａの延出壁部７５及び第二プレート部７１Ｂは、背凭れ部１０３の上端部を上下方向に係止している。
【００８０】
このとき、パネル体１１における什器上連結部材７１の湾曲壁部７４が配置される側のクッション部材１３Ｐは、湾曲壁部７４によりパネル体１１の幅方向内側に向かって押圧されている。これにより、什器上連結部材７１が配置される側のクッション部材１３Ｐの幅寸法は、什器上連結部材７１が配置されない側のクッション部材１３Ｑの幅寸法よりも短くなる。また、クッション部材１３Ｑの端部と、クッション部材１３Ｐに沿って配置された什器上連結部材７１の湾曲壁部７４の端面とは、面一とされている。
【００８１】
また、什器上連結部材７１が配置されない側のクッション部材１３Ｑの突出部１３ｔおよびクッション材１３Ｑと対向するように隣接配置されたパネル体１１のクッション材１３の突出部１３ｔは、互いに対向方向に押圧し合う。これにより、突出部１３ｔ，１３ｔの先端部分は丸くなるように弾性変形している。これにより、当接している突出部１３ｔ，１３ｔの当接面積は大きくなる。
また、什器上連結部材７１が配置される側のクッション部材１３Ｐの突出部１３ｔおよびクッション材１３Ｐと対向する他のパネル体１１のクッション材１３の突出部１３ｔは、什器上連結部材７１の湾曲壁部７４を介して互いに対向方向に押圧し合う。これにより、突出部１３ｔ，１３ｔの先端部分は丸くなるように弾性変形している。これにより、当接している突出部１３ｔ，１３ｔの当接面積は大きくなる。
【００８２】
図１７は、図１２の要部の拡大図である。図１８は、ソファー１００とパネル体１１とのを連結する什器下連結部材８１の斜視図である。
【００８３】
図１２，図１７、図１８に示すように、ソファー１００の下部とパネル体１１の下部とは什器下連結部材（第一係止部材、連結手段）８１を介して連結されている。
【００８４】
ここで、パネル体１１の下端部に設けられた溝２５には、下向きＵ字状に形成された什器部固定部材３０Ｄが嵌め込まれている。什器部固定部材３０Ｄは、互いに平行に配置された側部プレート部１３６，１３６と、側部プレート部１３６，１３６の上端どうしを一体に連結する連結プレート部１３７とを備えている。
【００８５】
什器下連結部材８１は、ソファー１００の座部１０２に設けられた支持プレート１０５に取り付けられる支持壁部８２と、支持壁部８２の端部から下方に向かって屈曲形成された屈曲壁部８３とを有している。
【００８６】
さらに、什器下連結部材８１は、屈曲壁部８３の端部から屈曲しパネル体１１の表皮材１４に沿って配置される上下壁部８４と、上下壁部８４の下端から屈曲しパネル体１１側の背面側に向かって伸びる下壁部８５とを有している。
【００８７】
さらに、什器下連結部材８１は、下壁部８５の端部からパネル体１１の前面側の側部プレート部１３６に沿って上方に向かって延びる上向き壁部８６と、上向き壁部８６の端部から対向する側部プレート部１３６に向かって屈曲する突出片８７とを有している。この突出片８７は、下側よりも上側の方が幅狭に形成されている。
【００８８】
什器下連結部材８１の支持壁部８２には、取付孔８２Ａが形成されている。この取付孔８２Ａに挿通されたネジ８２Ｚがソファー１００に設けられた支持プレート１０５の取付孔（不図示）に螺合されている。これにより、什器下連結部材８１は、ソファー１００に取り付けられている。
【００８９】
また、什器下連結部材８１において、上向き壁部８６は、パネル体１１の前面側の側部プレート部１３６に当接している。また、突出片８７の端部はパネル体１１の背面側の側部プレート部１３６に当接している。このようにして、上向き壁部８６及び突出片８７がパネル体１１の下部に設けられた什器部固定部材３０Ｄに嵌め込まれることで、上向き壁部８６及び突出片８７は、パネル体１１の什器部固定部材３０Ｄを上下方向に係止している。
【００９０】
このように、パネル体１１は、什器上連結部材７１および什器下連結部材８１を介して、ソファー１００の背面に取り付けられている。
【００９１】
次に、上記のように構成されたソファー１００とパネル体１１とを連結する手順を説明する。
【００９２】
まず、隣接するソファー１００同士を図示しない連結手段により幅方向に連結する。各ソファー１００に設けられた支持プレート１０５の下方に什器下連結部材８１の支持壁部８２を配置する。そして、ネジ８２Ｚを、支持壁部８２の取付孔８２Ａに挿通して、支持プレート１０５の取付孔に螺合させる。これにより、什器下連結部材８１が、ソファー１００に取り付けられる。
【００９３】
一方、隣接するパネル体１１間に什器上連結部材７１を配置する。パネル体１１の直線部固定部材３０Ｓの突起３３Ｂと連結プレート部３２との間に、什器上連結部材７１の突起係合部７２を配置する。この状態で、パネル体１１同士を上記に示す下側連結部５５及び上側連結部６１により連結する。
【００９４】
次に、互いに連結された３枚のパネル体１１を、ソファー１００に対して相対的に下方に移動させる。この時、什器下連結部材８１の突出片８７の上側は下側よりも幅狭に形成されているため、什器下連結部材８１の上向き壁部８６及び突出片８７はパネル体１１の
下端部に設けられた什器部固定部材３０Ｄ内に容易に入る。そして、上向き壁部８６及び突出片８７の上端が、什器部固定部材３０Ｄの連結プレート部１３７に当接することで、パネル体１１の下方への移動が止まる。この状態で、什器下連結部材８１の上向き壁部８６及び突出片８７は、パネル体１１の下端部に設けられた什器部固定部材３０Ｄを係止している。
【００９５】
この状態で、什器上連結部材７１の上壁部７７及び湾曲壁部７８が背凭れ部１０３の上端部を上下方向に係止する位置まで、什器上連結部材７１を下方に移動させる。
【００９６】
なお、パネル体１１をソファー１００から取り外す際には、什器上連結部材７１を上方に移動させる。次に、パネル体１１を上方に移動させ、什器下連結部材８１とパネル体１１の什器部固定部材３０Ｄとの係止を解除すればよい。
【００９７】
このように構成されたソファーユニット１では、ソファー１００の支持プレート１０５に取り付けられた什器下連結部材８１は、パネル体１１の什器部固定部材３０Ｄを上下方向に係止する。パネル体１１の直線部固定部材３０Ｓに取り付けられた什器上連結部材７１は、ソファー１００の背凭れ部１０３の上端部を上下方向に係止する。よって、什器下連結部材８１及び什器上連結部材７１が、それぞれ上下方向に係止するため、ソファー１００とパネル体１１とがそれぞれ互いを上下方向に支持することができる。
また、パネル体１１において、什器上連結部材７１の取り付けられる直線部固定部材３０Ｓの部分は、什器下連結部材８１に係止される什器部固定部材３０Ｄよりも上方に位置している。また、ソファー１００において、什器上連結部材７１に係止される背凭れ部１０３の上端部は、什器下連結部材８１の取り付けられる支持プレート１０５よりも上方に位置している。つまり、什器上連結部材７１は什器下連結部材８１よりも上方に位置しているため、什器下連結部材８１及び什器上連結部材７１がソファー１００とパネル体１１とを上下方向にわたって安定的に連結することができる。
【００９８】
また、床面上に設置されたソファー１００に対してパネル体１１を上方から下方に移動させれば、ソファー１００に取り付けられた什器下連結部材８１がパネル体１１の什器部固定部材３０Ｄに係止する。さらに、パネル体１１間に配置された什器上連結部材７１を下方に移動すれば、什器上連結部材７１をソファー１００の背凭れ部１０３の上端部に係止させることができる。よって、パネル体１１をソファー１００に対して相対的に下方に移動させるとともに、什器上連結部材７１を下方に移動することにより、ソファー１００とパネル体１１とを連結することができるため、簡易に連結することができる。
【００９９】
また、什器下連結部材８１は、ソファー１００の下部に取り付けられている。また、什器下連結部材８１が係止する什器部固定部材３０Ｄは、パネル基材１２の下端部からパネル基材１２の内方に向けて凹んでいる。よって、什器下連結部材８１及び什器部固定部材３０Ｄが目立たない。
【０１００】
また、直線部固定部材３０Ｓはパネル基材１２の外周端部からパネル基材１２の内方に向けて凹んでいるため、什器上連結部材７１の取り付けられる直線部固定部材３０Ｓが目立つことがない。
【０１０１】
また、什器上連結部材７１はソファー１００の背凭れの上端部に係止するため、ソファー１００とは別に什器上連結部材７１が係止する部材を設ける必要がない。
【０１０２】
また、什器上連結部材７１はパネル体１１の外周端部のクッション材１３を弾性変形させつつ、パネル体１１の直線部固定部材３０Ｓに取り付けられる。よって、什器上連結部材７１がパネル体１１から大きく突出することを抑制することができる。
【０１０３】
また、背凭れ部１０３の上端部を係止する什器上連結部材７１は、クッション１０４とパネル体１１とに挟まれているため、什器上連結部材７１の露出を抑えることができる。
【０１０４】
また、什器上連結部材７１は背凭れ部１０３を係止する構成であるため、什器上連結部材７１を背凭れ部１０３から取り外した際には、取付穴等の加工がない。また、什器下連結部材８１はパネル体１１の什器部固定部材３０Ｄを係止する構成であるため、什器下連結部材８１を什器部固定部材３０Ｄから取り外した際には、取付穴等の加工がない。よって、ソファー１００からパネル体１１を取り外して、ソファー１００、パネル体１１をそれぞれ単独で使用する際に、体裁を良好とすることができる。
【０１０５】
（その他の実施形態）
なお、本発明は、図面を参照して説明した上述の各実施形態に限定されるものではなく、その技術的範囲において様々な変形例が考えられる。
【０１０６】
（変形例１）
上記に示す実施形態の変形例１について説明する。
図１９は、変形例１における要部の拡大図である。図２０は、変形例１におけるソファーとパネル体とを連結する第一係止部材の斜視図である。
【０１０７】
図１９に示すように、パネル体１１の下端部に設けられた溝２５には、直線部固定部材３０Ｓが嵌め込まれている。
【０１０８】
図１９および図２０に示すように、什器下連結部材２８１は、ソファー１００の下部に設けられた支持プレート１０５の下方に配置される支持壁部２８２と、支持壁部２８２の端部から下方に向かって屈曲形成された屈曲壁部２８３とを有している。
【０１０９】
什器下連結部材２８１の支持壁部２８２には、取付孔２８２Ａが形成されている。この取付孔２８２Ａに挿通されたネジ２８２Ｚがソファー１００に設けられた支持プレート１０５の取付孔（不図示）に螺合されている。これにより、什器下連結部材２８１は、ソファー１００に取り付けられている。
【０１１０】
さらに、什器下連結部材２８１は、屈曲壁部２８３の端部から屈曲しパネル体１１の表皮材１４に沿って配置される上下壁部２８４と、上下壁部２８４の下端から屈曲しパネル体１１側に向かって伸びる下壁部２８５とを有している。
【０１１１】
さらに、什器下連結部材２８１は、下壁部２８５の端部から上方に向かって延びパネル体１１の下端に取り付けられる係止部２８６を有している。この係止部２８６と下壁部２８５とは、ボルト２８９にて螺合されることで一体とされている。
【０１１２】
什器下連結部材２８１の係止部２８６は、パネル体１１の枠材２１Ｄに固定された直線部固定部材３０Ｓの側部プレート部３１に形成された突条３４，３４を係止している。
【０１１３】
（変形例２）
上記に示す実施形態の変形例２について説明する。
図２１は、変形例２におけるソファーとパネル体との連結部分の構造を示す断面図である。
【０１１４】
図２１に示すように、什器上連結部材３７１は、直線部固定部材３０Ｓの突起３３Ａに沿って配置される突起係合部３７２と、突起係合部３７２の端部から屈曲し突起３３Ｂにおける突起３３Ａに対向する側に沿って配置される側壁部３７３とを有している。
【０１１５】
突起係合部３７２は、突起３３Ａにおける溝２５の基部２１ｅを向く面に沿って配置されている。また、突起係合部３７２の端部は、突起３３Ａが設けられた側の側部プレート部３１Ａに突き当たっている。
【０１１６】
側壁部３７３において、突起３３Ｂが設けられた側の側部プレート部３１Ｂを向く面には、緩衝部３７３Ａが設けられている。緩衝部３７３Ａは、側部プレート部３１Ｂに向かって凸となる形状とされるとともに、側部プレート部３１Ｂに当接している。
【０１１７】
さらに、什器上連結部材３７１は、側壁部３７３の端部からソファー１００が配置される側に向かって屈曲して延びる湾曲壁部３７４と、湾曲壁部３７４の端部に連続して延びる延出壁部３７５とを有している。
【０１１８】
さらに、什器上連結部材３７１は、延出壁部３７５の上端からソファー１００側に向かって延びる上壁部３７６と、上壁部３７６の端部から背凭れ部１０３（図１参照）の前面に沿って配置される前壁部３７７とを有している。
これら突起係合部３７２、側壁部３７３、湾曲壁部３７４、延出壁部３７５、上壁部３７６及び前壁部３７７は、一体に形成されている。
【０１１９】
この什器上連結部材３７１において、突起係合部３７２が突起３３Ａに当接しているため、什器上連結部材３７１は溝２５から抜ける方向の移動が規制される。また、突起係合部３７２の端部が側部プレート部３１Ａに突き当たっているため、什器上連結部材３７１はソファー１００側への移動が規制されている。また、側壁部３７３に設けられた緩衝部３７３Ａは側部プレート部３１Ｂに当接しているため、什器上連結部材３７１はソファー１００と反対側への移動が規制されている。このようにして、什器上連結部材３７１は、溝２５に配置された直線部固定部材３０Ｓに取り付けられている。
【０１２０】
また、延出壁部３７５は、パネル体の前面に沿って配置されている。上壁部３７６は、背凭れ部１０３の上端部に沿って配置されている。前壁部３７７は、背凭れ部１０３の前面に沿って配置されている。このようにして、延出壁部３７５、上壁部３７６及び前壁部３７７は、背凭れ部１０３の上端部を上下方向に係止している。
【０１２１】
さらに、上記実施形態では、什器上連結部材７１及び什器下連結部材８１は、上下方向に係止しているが、本発明はこれに限られず、什器上連結部材７１及び什器下連結部材８１の少なくとも一方が上下方向に係止していればよい。例えば、什器下連結部材８１が上下方向に係止するとともに、什器上連結部材がソファー１００の背凭れ部１０３の幅方向端部を水平方向に係止する構成であってもよい。または、什器上連結部材７１が上下方向に係止するとともに、什器下連結部材がパネル体１１の幅方向端部を係止する構成であってもよい。
【０１２２】
また、上記実施形態では、什器上連結部材７１はパネル体１１に取り付けられるとともに什器下連結部材８１がソファー１００に取り付けられているが、本発明はこれに限られない。什器上連結部材及び什器下連結部材が、ソファー１００に取り付けられるとともに、パネル体１１を係止する構成であってもよい。あるいは、什器上連結部材及び什器下連結部材が、パネル体１１に取り付けられるとともに、ソファー１００を係止する構成であってもよい。
【０１２３】
また、上記実施形態では、パネル体１１に取り付けられた什器上連結部材７１が、ソファー１００に取り付けられた什器下連結部材８１よりも上方に配置されているが、本発明はこれに限られない。パネル体１１に取り付けられた連結部材が、ソファー１００に取り付けられた連結部材よりも下方に配置されていてもよい。
【０１２４】
また、上記実施形態では、什器上連結部材７１は、ソファー１００の背凭れ部１０３を係止しているが、本発明はこれに限られない。例えば、什器上連結部材が、ソファー１００の座部１０２を係止する構成であってもよい。
【０１２５】
これ以外にも、本発明の主旨を逸脱しない限り、上記実施の形態で挙げた構成を取捨選択したり、他の構成に適宜変更したりすることが可能である。
【符号の説明】
【０１２６】
１  ソファーユニット
１１  パネル体
１２  パネル基材（基材）
１３  クッション材
１３ｅ，１４ｅ  外周端部
１３ｔ  突出部
１４  表皮材
１５  芯材
１５ｈ  孔
１６  貫通孔
１６ｖ  角部
１６ｆ  内周面
１７  凹部
１８  ベースシート
２０  フレーム
２５  溝
３０  固定部材
３０Ｃ  コーナー部固定部材
３０Ｄ  什器部固定部材
３０Ｓ  直線部固定部材
５０  支持脚体
５１  下部支持部
５２  側部支持部
５３  支持脚部
５５  下側連結部
５７  スリット
６１  上側連結部
７１  什器上連結部材（第二係止部材、連結手段）
７２  突起係止部
８１  什器下連結部材（第一係止部材、連結手段）
１００  ソファー
１０１  脚部（脚体）
１０２  座部
１０３  背凭れ部
１０５  支持プレート
Ｋ  間隙部
Ｓ１  空間
Ｓ２  空間
【図１】
2015142678.tif 000003
【図２】
2015142678.tif 000004
【図３】
2015142678.tif 000005
【図４】
2015142678.tif 000006
【図５】
2015142678.tif 000007
【図６】
2015142678.tif 000008
【図７】
2015142678.tif 000009
【図８】
2015142678.tif 000010
【図９】
2015142678.tif 000011
【図１０】
2015142678.tif 000012
【図１１】
2015142678.tif 000013
【図１２】
2015142678.tif 000014
【図１３】
2015142678.tif 000015
【図１４】
2015142678.tif 000016
【図１５】
2015142678.tif 000017
【図１６】
2015142678.tif 000018
【図１７】
2015142678.tif 000019
【図１８】
2015142678.tif 000020
【図１９】
2015142678.tif 000021
【図２０】
2015142678.tif 000022
【図２１】
2015142678.tif 000023